(57)【要約】【課題】帯色水溶液の発生を、安価かつ簡単に、確実かつ効果的に防止可能な床の補修方法及び床を提供する。【解決手段】コンクリート床２の表面３に接着剤４を介して床材５が貼り付けられ、接着剤４中のポリ酢酸ビニルとコンクリート床２に含まれていた水酸化カルシウムとが水により鹸化反応を起こすことで生成された水溶性樹脂と接着剤４中の帯色物質とが鹸化することで帯色水溶液が生成される条件を有した床１の補修方法において、床材５の表面６からコンクリート床２の表面３に到達する孔７を形成し、この孔７を介してコンクリート床２からの水分を大気に発散させてコンクリート床２の表面３と床材５との間の水分滞留を防止することにより帯色水溶液の発生を防止した。【選択図】図１
2011017216.tif 000002
【特許請求の範囲】
【請求項１】
コンクリート床の表面に接着剤を介して床材が貼り付けられ、接着剤中のポリ酢酸ビニルとコンクリート床に含まれていた水酸化カルシウムとが水により鹸化反応を起こすことで生成された水溶性樹脂と接着剤中の帯色物質とが鹸化することで帯色水溶液が生成される条件を有した床の補修方法において、床材の表面からコンクリート床の表面に到達する孔を形成し、この孔を介してコンクリート床からの水分を大気に発散させてコンクリート床の表面と床材との間の水分滞留を防止することにより帯色水溶液の発生を防止したことを特徴とする床の補修方法。
【請求項２】
孔は下部孔と下部孔よりも径の大きい上部孔とを備え、通気孔を有した蓋を上部孔に設置したことを特徴とする請求項１に記載の床の補修方法。
【請求項３】
コンクリート床の表面に接着剤を介して床材が貼り付けられ、接着剤中のポリ酢酸ビニルとコンクリート床に含まれていた水酸化カルシウムとが水により鹸化反応を起こすことで生成された水溶性樹脂と接着剤中の帯色物質とが鹸化することで帯色水溶液が生成される条件を有した床において、床材の表面からコンクリート床の表面に到達するように形成した孔を備えたことを特徴とする床。
【発明の詳細な説明】
【技術分野】
【０００１】
本発明は、コンクリート床の表面に接着剤を介して床材が貼り付けられ、接着剤中のポリ酢酸ビニルとコンクリート床に含まれていた水酸化カルシウムとが水により鹸化反応を起こすことで生成された水溶性樹脂と接着剤中の帯色物質とが鹸化することで帯色水溶液が生成される条件を有した床において、帯色水溶液の発生を、安価かつ簡単に、確実かつ効果的に防止可能な床の補修方法及び床に関する。
【背景技術】
【０００２】
コンクリート床の表面に接着剤により床材を貼り付けて構成された構造の床が知られている。当該構造の床においては、床材が、コンクリート床の毛細管空隙を辿って上昇する水分量よりも透水量の小さい材料である場合、または、床材を複数層に設置することによりコンクリート床の毛細管空隙を上昇する水分量よりも透水量が減少した場合、または、遮水材である場合、コンクリート床の毛細管空隙を辿ってきたアルカリ性の水分が、コンクリート床の表面と床材との間に滞留し、大気中に発散しない。即ち、コンクリート床内の水分がコンクリートの毛細管空隙を辿ってコンクリート床の表面に到達し、コンクリート床の表面と床材との間に滞留する。特に、土上に形成された土間コンクリート床の場合には、土中に含まれる水分もコンクリートの毛細管空隙を辿ってコンクリート床の表面に到達するので、コンクリート床の表面と床材との間にアルカリ性の水分が滞留しやすくなる。当該構造の床の場合、コンクリート床の表面と床材との間に位置する接着剤中のポリ酢酸ビニルとアルカリ水中の水酸化カルシウムとが水により鹸化反応を起こすことで生成された水溶性樹脂と接着剤中の帯色物質とが鹸化することで帯色水溶液（タバコジュースと呼ばれることがある）が生成される。すなわち、図６の化学反応方程式に示すように、接着剤のポリ酢酸ビニルとアルカリ水中の水酸化カルシウムとが鹸化反応を起こし、酢ビ樹脂がポバール（ポリビニルアルコール）という水溶性の樹脂に変化し、酢酸カルシウムという一種の塩が生成される。ポバールも酢酸カルシウムも無色物質であり、水に溶解しても発色しないが、接着剤の酢酸ビニル以外の添加樹脂（ロジン系やクマロン系）などの帯色物質が鹸化して水に溶け込むので帯色水溶液が生じる。
上記構造の床においては、薬品臭が発生する場合がある。そこで、コンクリート床に床材を貼り付ける前に、コンクリート床の表面側に樹脂塗膜やシートにより形成される樹脂層を設けるようにしたことにより、上記鹸化反応を防止して薬品臭の発生を防止するようにした方法が知られている（例えば、特許文献１等参照）。
【先行技術文献】
【特許文献】
【０００３】
【特許文献１】特開２００３−１４７９４８号公報
【発明の概要】
【発明が解決しようとする課題】
【０００４】
しかしながら、特許文献１の方法では、樹脂層を施工しなくてはならず、樹脂層施工にかかる施工手間、施工コストが増えるという問題点があった。また、特許文献１の方法では、樹脂層の施工が完全でなかったり、樹脂層の経年劣化などにより、樹脂層の下から水酸化カルシウムを含んだ水が床材の下面に位置する接着剤に到達する可能性があり、この場合は、帯色水溶液が生成されてしまうという問題点があった。
本発明は、上記課題に鑑みてなされたもので、上記構造の床において、帯色水溶液の発生を、安価かつ簡単に、確実かつ効果的に防止可能な床の補修方法及び床を提供する。
【課題を解決するための手段】
【０００５】
本発明に係る床の補修方法によれば、コンクリート床の表面に接着剤を介して床材が貼り付けられ、接着剤中のポリ酢酸ビニルとコンクリート床に含まれていた水酸化カルシウムとが水により鹸化反応を起こすことで生成された水溶性樹脂と接着剤中の帯色物質とが鹸化することで帯色水溶液が生成される条件を有した床の補修方法において、床材の表面からコンクリート床の表面に到達する孔を形成し、この孔を介してコンクリート床からの水分を大気に発散させてコンクリート床の表面と床材との間の水分滞留を防止することにより帯色水溶液の発生を防止したので、帯色水溶液の発生を、安価かつ簡単に、確実かつ効果的に防止可能な床の補修方法を提供できる。
孔は下部孔と下部孔よりも径の大きい上部孔とを備え、通気孔を有した蓋を上部孔に設置したので、床面の収まりや見栄えを良好にできる。
本発明に係る床によれば、コンクリート床の表面に接着剤を介して床材が貼り付けられ、接着剤中のポリ酢酸ビニルとコンクリート床に含まれていた水酸化カルシウムとが水により鹸化反応を起こすことで生成された水溶性樹脂と接着剤中の帯色物質とが鹸化することで帯色水溶液が生成される条件を有した床において、床材の表面からコンクリート床の表面に到達するように形成した孔を備えたので、帯色水溶液の発生を、安価かつ簡単に、確実かつ効果的に防止可能な床を提供できる。
【図面の簡単な説明】
【０００６】
【図１】本発明の床の断面を示す図。
【図２】蓋、孔、固定具取付部を示す斜視図。
【図３】本発明の別の床の断面を示す図。
【図４】本発明の別の床の断面を示す図。
【図５】本発明の別の床の断面を示す図。
【図６】ポバールと酢酸カルシウムとが生成される場合の化学反応方程式を示す図。
【発明を実施するための形態】
【０００７】
図１に示すように、本形態による床１は、コンクリート床２の表面３に接着剤４を介して床材５が貼り付けられ、接着剤４中のポリ酢酸ビニルとコンクリート床２に含まれていた水酸化カルシウムとが水により鹸化反応を起こすことで生成された水溶性樹脂と接着剤４中の帯色物質とが鹸化することで帯色水溶液が生成される条件を有した床であって、床材５の表面６からコンクリート床２の表面３に到達するように形成した孔７を備え、この孔７を介してコンクリート床２からの水分が大気に発散することで、コンクリート床２の表面３と床材５との間の水分滞留が防止され、帯色水溶液の発生が防止される。
【０００８】
コンクリート床２は、土間上にコンクリートを打設することにより形成された土間コンクリート床、あるいは、階上コンクリート床である。
床材５は、樹脂系、アスファルト系、ゴム系、塩化ビニル系などの材料により、例えば、縦寸法３０ｃｍ×横寸法３０ｃｍ×厚さ寸法０．２ｃｍの矩形パネル状に形成されたものである。
床１は、例えば、コンクリート床２と、辺同士が互いに隣り合うように突き合わされた状態でコンクリート床２の表面３に接着剤４を介して貼り付けられて敷設された複数の床材５とで構成される。
孔７は、床材５の表面６からコンクリート床２の表面３に到達するように１つ以上形成される。つまり、床材５の表面６から床材５と接着層４ａとを貫通してコンクリート床２の表面３に到達する孔７が形成される。
【０００９】
図２に示すように、孔７は、例えば、円形の下部孔１０と下部孔１０よりも径の大きい円形の上部孔１１とを備え、下部孔１０の中心と上部孔１１の中心とが同じに形成される。上部孔１１の底面１２は、下部孔１０の上縁１５と上部孔１１の内周面１６とを繋ぐ蓋設置面２０に形成される。上部孔１１と下部孔１０の径は、例えば、上部孔が７ｃｍ、下部孔が５ｃｍに形成される。すなわち、孔７は、上部孔１１と下部孔１０との境界部分に形成された段差面からなる蓋設置面２０を備え、蓋設置面２０に蓋２１が設置される。
【００１０】
蓋２１は、金属、樹脂などの材料により形成される。蓋２１は、上部孔１１の径よりも径が小さく下部孔１０の径よりも径の大きい薄板の円形板状に形成される。蓋２１の厚さ寸法は、例えば、上部孔１１の深さ寸法に対応した寸法に形成される。蓋２１は通気孔２２を備え、通気孔２２は蓋２１の上面２４と下面２９とを貫通する１つ以上の通気孔２２により形成される。
【００１１】
蓋２１の中央には、固定具通し孔２５が形成され、孔７の底面３０を形成するコンクリート床２の上部には固定具取付部３１が形成される。例えば、固定具通し孔２５は、固定ねじ通し孔により形成され、固定具取付部３１は、コンクリート床２の上部に埋設された樹脂製のインサート部材３１ａにより形成される。インサート部材３１ａは固定ねじ３５のねじ部３５ａがねじ込まれる孔部３１ｂを備える。
【００１２】
次に床の補修方法について説明する。
コンクリート床２の表面３に床材５を接着剤４で貼り付けることで床１を構築した後、帯色水溶液が床材５の表面６の目地より溢れ出る現象が起きた場合、床材５の表面６からコンクリート床２の表面３に到達する孔７を１つ以上形成する。例えば、孔７は、帯色水溶液が床材５の表面６の目地より溢れ出た場所の近傍に形成する。孔７は、コアビットやカッター等の切削具により形成する。例えば、床材５の表面６からコンクリート床２の表面３に到達する円形の下部孔１０を形成した後に、当該下部孔１０と円の中心が同じ円形で下部孔１０よりも径の大きい上部孔１１を形成する。尚、孔７の大きさは、帯色水溶液が床材５の表面６の目地より溢れ出る量により適宜決めればよい。
【００１３】
次に、上部孔１１に蓋２１を設置する。すなわち、蓋２１の下面２９の縁部２６が蓋設置面２０に接触するように上部孔１１に設置する。蓋２１の径は下部孔１０よりも大きいので蓋２１が下部孔１０の内部に脱落することがない。また、蓋２１の径が上部孔１１よりも小さいので蓋２１の外周面２７が上部孔１１の内周面１６の内部に嵌め込まれる。これにより、蓋２１が上部孔１１より飛び出すことを防ぐことができる。なお、蓋２１の厚みを上部孔１１の深さと同じに設定すれば、床材５の上面６と蓋２１の上面２８との段差がなくなるので、床面６ａより突出する突出物を無くせ、見栄えがよくなるので、好ましい。
【００１４】
そして、蓋２１を上部孔１１に設置した状態で、固定具通し孔２５に固定ねじ３５を通して、固定ねじ３５がインサート部材３１ａにねじ込まれることで、蓋２１がコンクリート床２に固定される。
【００１５】
本形態による床、床の補修方法によれば、床材５に孔７を設けたので、帯色水溶液の発生を、安価かつ簡単に、確実かつ効果的に防止できる。
また、孔７は下部孔１０と下部孔１０よりも径の大きい上部孔１１とを備え、通気孔２２を有した蓋２１を上部孔１１に設置したので、床面６ａの収まりや見栄えを良好にできる。
【００１６】
上記では、床の補修について説明したが、新たに床を施工する場合に、上記孔７を形成することにより、床施工後の帯色水溶液の発生を、安価かつ簡単に、確実かつ効果的に防止できる。
【００１７】
上記では１層の床材５を備えた床１について説明したが、本発明は、図３に示すように、床材５を複数層備えた床１にも適用できる。例えば、コンクリート床２の表面３に接着剤４を介して下の床材５ａが取り付けられ、下の床材５ａの上に上の床材５ｂが設置されたような床１の場合、上の床材５ｂの表面６ｂから上の床材５ｂ；下の床材５ａ；接着剤４とを貫通してコンクリート床２の表面３に到達する孔７を形成して、上の床材５ｂの表面６ｂと蓋２１の上面とが面一となるように蓋２１を孔７に設置すればよい。孔７は、下の床材５ａに形成された下部孔１０ａと上の床材５ｂに形成された上部孔１１ａとを備える。上部孔１１ａと下部孔１０ａとの中心が同じで、上部孔１１ａの径が下部孔１０ａの径よりも大きく形成される。下部孔１０ａの径＜蓋２１の径≦上部孔１１ａの径とすれば、蓋２１の蓋設置面２０を容易に形成できる。
【００１８】
すなわち、孔７は、上部孔１１と下部孔１０との境界部分に形成された段差面からなる蓋設置面２０を備え、蓋設置面２０に蓋２１が設置される。
尚、見栄えなどの観点から、孔７を蓋２１で塞ぐことが好ましいが、図４に示すように、孔７を蓋２１で塞がなくともよい。
尚、下部孔１０と上部孔１１との径を同径に形成してもよい。この場合、蓋２１の表面と床材５の表面６とが同一面となるように、蓋２１の裏面と孔７の底面３０との間の空間の保持をするためには、例えば、図５に示すように、固定具取付部３１に締結されるねじやボルトの長さを選定し、当該選定したねじやボルトの頭に蓋２１を固定したり、孔７の底面３０と蓋２１の裏面との間に蓋２１の通気孔２２と底面３０とに繋がれる貫通孔を備えた蓋支持材を設けたり、あるいは、床材５の表面６と孔７の底面３０との距離と同じ厚さの蓋２１を孔７の底面３０に直接設置してもよい。
【符号の説明】
【００１９】
１  床、２  コンクリート床、３  コンクリート床の表面、４  接着剤、５  床材、
６  床材の表面、７  孔、１０  下部孔、１１  上部孔、２１  蓋、２２  通気孔。
【図１】
2011017216.tif 000003
【図２】
2011017216.tif 000004
【図３】
2011017216.tif 000005
【図４】
2011017216.tif 000006
【図５】
2011017216.tif 000007
【図６】
2011017216.tif 000008